(57)【要約】      （修正有）【課題】ニブラの切り粉の飛散を防止する切り粉の受け具を提供する。【解決手段】鋼板切断機のニブラの切り粉の受け具において、天板に、ダイスホルダー２の最下端面に開口している２つの螺子孔及び１つの切り粉排出口７に対向した同大の貫通孔を設けると共に、前記ダイスホルダーの最下端面に前記天板を当接して螺止めする金属製のスクリューキャップ１２と、前記スクリューキャップに螺着する蓋付き合成樹脂製のボトル１３と、前記金属製のスクリューキャップの天板、ダイス固定台５及びダイスを螺通して、ダイスをダイス固定台へ螺止する２本の螺子９ｂ等と、を備えてニブラの切り粉受け具を構成する。【選択図】図２
0003152154.tif 000002
【実用新案登録請求の範囲】
【請求項１】
鋼板切断機のニブラの切り粉の受け具において、
天板に、ダイスホルダーの最下端面に開口している２つの螺子孔及び１つの切り粉排出口に対向した同大の貫通孔を設けると共に、前記ダイスホルダーの最下端面に前記天板を当接して螺止めする金属製のスクリューキャップと、
前記スクリューキャップに螺着する蓋付き合成樹脂製のボトルと、
前記金属製のスクリューキャップの天板、ダイス固定台及びダイスを螺通して、ダイスをダイス固定台へ螺止する２本の螺子と、
を備えたニブラの切り粉受け具。
【請求項２】
鋼板切断機のニブラの切り粉の受け具において、
天板に、ダイスホルダーの最下端面に開口している２つの螺子孔及び１つの切り粉排出口に対向した同大の貫通孔を設けると共に、前記ダイスホルダーの最下端面に前記天板を当接して螺止めする市販の飲料用のペットボトルと螺着する金属製のスクリューキャップと、
前記スクリューキャップに螺着する市販の空の飲料用ペットボトルと、
前記金属製のスクリューキャップの天板、ダイス固定台及びダイスを螺通して、ダイスをダイス固定台へ螺止する２本の螺子と、
を備えたニブラの切り粉受け具。
【請求項３】
鋼板切断機のニブラの切り粉の受け箱において、
天板に、ダイスホルダーの最下端面に開口している２つの螺子孔及び１つの切り粉排出口に対向した同大の貫通孔を設けると共に、前記ダイスホルダーの最下端面に前記天板を当接して螺止めする金属製のスクリューキャップと、
前記金属製のスクリューキャップの天板、ダイス固定台及びダイスを螺通して、ダイスをダイス固定台へ螺止する２本の螺子と、
一端に前記金属製のスクリューキャップと螺着する螺着リングを嵌着した柔軟性のある合成樹脂製の管と、
受け箱の胴部の一側面に板磁石を固定すると共に、天板に前記管の挿入孔を設けた合成樹脂製の切り粉受け箱と
を備えたニブラの切り粉受け具。
【考案の詳細な説明】
【技術分野】
【０００１】  この考案は、ニブラに取り付ける切り粉受け具に関する。更に、詳細には、ニブラで鋼板切断の際に発生する切り粉（切屑）を、ニブラのダイスホルダーの下端面に設けられた切り粉排出口に当接して設けた、切り粉受け具に関する。
【背景技術】
【０００２】  ニブラは、広く普及している板金加工作業用の工具として知られていて、またその切り屑の回収・収納方法も種々提案されている。【０００３】  例えば、切断機に着脱自在に取り付け可能なニブラ式切断機の切り屑受け箱（弾性変形可能な材料）が提案されている（引用文献１、第１頁参照）。
然し乍ら、弾性変形可能な材料の切り屑受け箱は、所定の固定個所が設けられていないから、作業中の振動により、受け箱が脱落する虞があり、また、これを強くぶつけた場合にも同じく脱落する虞があり、さらに重い金属切り屑を貯めた場合に、更に脱落の虞が増加するものであるから、安定性に欠ける不安定な装置であり、好ましいものとは言えない。【０００４】  また、カッターの集塵装置として、排出孔に集塵部の吸込み口に対向して、集塵口を設け集塵装置で集塵することで、安全かつ容易に切り粉の処理ができることが提案されている（特許文献２、第４頁、図１参照）。
この提案は、カッターの上部に集塵装置を取り付けるものであり、片手で操作することを前提とし、現在でも過重気味のカッターに、更に重量を増す構成であるから、作業者の負担が重くなり、実用性に欠ける。【０００５】  さらに、切断の際の切断代が帯状に連続して排出されるようにして、切断屑の回収を容易に行なえるとしたものがある（特許文献３、２９頁、図１２参照）。
これは、該発明の機械を使用しなければならないものである。広く普及している汎用機タイプのものに適用できるこの考案とは関連性がない。【０００６】
【特許文献１】実用新案登録第３１４７４０６号公報
【特許文献２】特開昭５８−１４９１２０号公報
【特許文献３】特許第３５９３６８１号公報
【考案の開示】
【考案が解決しようとする課題】
【０００７】  鋼板による屋根拭き、その他鋼板加工の際に、軟鋼板、硬鋼板、ステンレス板、アルミニウム板等を切断加工する作業がある。この切断作業には、通常は鋼板切断用の丸鋸や、いわゆる電動工具のニブラが使用される。丸鋸は、直線に切断する作業には適しているが、曲線加工はできず、また、足場の悪い高所作業等の場合、小回りが利かない欠点がある。
そこで、高所作業や曲線に切断する等の小回りを必要とする作業には、専らニブラが使用され、標準的性能のものは、厚さ１．６ｍｍの軟鉄の鋼板を切断できるとされている。【０００８】  ニブラの標準的な構造及び機能はおよそ次の通りである。
ニブラは、水平に保って把持する把持部と、該把持部先端部に下方向に垂直に突出した全体が丸棒状のダイスホルダーからなる構造である。ダイスホルダーは、把持部と直角に配され、両者の接続部はロックナットで固定されていて、ダイスホルダーが着脱自在に構成されている。【０００９】  また、丸棒状のダイスホルダーは、下端部の一側面を欠切したＬ字型に形成され、該Ｌ字の水平部をダイス固定台とし、この固定台にダイスを嵌装して、ダイス固定台の下端面から上方に向けた螺子でダイスをダイス固定台へ固定する。
さらに、前記丸棒状のダイスホルダーを垂直に貫通して、細い棒状のパンチ（動刃）が内装されていて、該パンチとこれに当接した位置に、ダイス（固定刃）がこれを受けるように配置されている。該パンチは電動モータで上下の高速往復運動をし、ダイスの切り刃とで鋼板等を切断する。【００１０】  ダイスとパンチとの間に設けられている隙間（加工部）に、被切断物を挿入して、該パンチの高速の上下往復運動と、ダイスの切り刃との共同により、鋼板等を齧り取るようにして切断する。また、その加工部の向きは、自在に変更でき、切断箇所の作業上の制約等に対応できる。加工部をどの方向に向けた場合であっても切り粉は四方に飛散する。【００１１】  また、ダイスホルダーの円形をした最下端面には、開口した排出口が一つ、該排出口の左右にダイス固定用の一対の螺子孔が設けてある。ダイスは、半円盤型の形状をし、ダイスの左右端部に、固定用の１対の螺子孔が設けてある。ダイスの固定は、ダイス固定台の最下端面からダイスの螺子孔に連通して、ダイス固定台に螺止する構成である。【００１２】  排出口は、前記螺子孔よりもやや大きめのものである。切り粉は、前記排出口から下方向に放出され、四方に飛散する。前記排出口及びダイスの固定用螺子孔は、ダイスホルダーの構造上の理由からと思われるが、各孔は、円形の中心点に対はなく、偏倚した配置となっている（図１（ｂ）参照）。【００１３】  また、切れ味の鈍ったダイの交換は、前記の２本の螺子を緩めて、新しいダイスと交換し、ダイス固定台に螺止することを繰り返して作業を継続する。【００１４】  ニブラによる鋼板等に切断の際に、長さ約３〜５ｍｍの三日月形のいわゆる切り粉が発生する。この三日月形の切り粉の両端部が細く長く尖った先鋭な形をしたものである。
また、この切り粉は、三日月の両端部が先鋭になっているので、これが作業中に身体又は被服に付着した場合に、身体を傷つけるおそれがきわめて大きく、危険なものである。【００１５】  また、この切り粉を踏んだ場合、ゴム底靴等では靴の裏側に容易に食い込む。そのまま葺いた屋根、床等の上を歩行移動すると、鋼板屋根のメッキ又は塗装、床等を傷つける結果となり、作業品質の仕上がり上の大きな問題であるから、ニブラの使用を回避する向きもある。【００１６】  さらに、ニブラは鋼板を齧り取るようにして切断するから、切断直後の切り粉は、切断面を剥き出した状態で、且つ相対的に表面積が大きく、極めて酸化し易い。従って、切り粉をそのまま残留・放置すると、その箇所から酸化が急速進行する（錆を呼ぶ）。そのため、作業後切り粉の回収が必要となるが、作業が高所作業の場合、広範囲に飛散して落下するから、その回収は、多大の労力を要し、すべてを回収することは殆ど不可能に近い。【００１７】  上記理由から、切り粉はできれば１つ残らず回収することが望ましく、切り粉の回収は早急に解決すべき課題とされているが、現在まで、簡便で実用に耐え得る解決手段は見当らない。【００１８】  他方、加工作業量が多い場合、切り粉の発生量も膨大なものとなる。従って、資源節約の見地からこれを回収し、資源のリサイクルに資することができれば好ましいことである。
【課題を解決するための手段】
【００１９】  前記事情に鑑み、この考案は、市販され広く普及しているニブラの汎用機に適用でき、簡便で、且つ、実用性の高い切り粉受け具等を提案することを目的とした。【００２０】  そこで、本考案の考案者は、上記の諸課題を解決する為に鋭意研究の結果、この考案を完成した。ニブラのダイス固定用の螺子を利用して、切り粉受け具を装着するものである。
従って、ニブラ本体に一切の加工を加えず、機器の性能に影響を与えることがなく、目的を達成したものである。
即ち、切り粉の排出口に当接して、切り粉受け具を設けることで、切り粉の飛散を防止し、且つ発生した切り粉のすべてを回収できる切り粉受け具を提案するものである。【００２１】  この考案の態様の１は、専用の金属製のスクリューキャップと、これに螺着する専用の合成樹脂製の蓋付きの壜体（以下「ボトル」という。）と、前記キャップ天板、ダイスの固定台及びダイスを連通して下方向から螺入し、螺止する螺子２本から構成される。【００２２】  金属製キャップはスクリュー式のものとし、該キャップ天板に、ニブラのダイスホルダーの最下端面に開口して設けてある切り粉排出口、及びダイスを固定するための一対の螺子孔に対向する位置に、且つ同じ大きさの貫通孔を設けたものである。ボトルは、前記スクリューキャップに螺着する蓋付き合成樹脂製のボトルである。【００２３】  この考案の態様の２は、金属製のスクリューキャップである。ボトルは、これに螺着する市販のペットボトルを使用する組み合わせである。【００２４】  金属製のスクリューキャップに設けるスクリューのピッチ巾を、水、お茶、ジューズ等の市販の飲料用のペットボトルが螺着できるものとし、専用ボトルを使用しないで、前記市販のペットボトルと互換性を持つように構成し、市販のペットボトルを転用するものである。金属製のスクリューキャップの天板に設ける孔、螺子２本は前記考案の態様１と同様である。【００２５】  この考案の態様の３は、切り粉排出口と切り粉受箱とを管（ホース等）で連結した構成である。金属製のスクリューキャップの天板に設ける孔、螺子２本は前記考案の態様１と同様である。連続作業に適したものである。【００２６】  即ち、この考案は、鋼板切断機のニブラの切り粉の受け具において、天板に、ダイスホルダーの最下端面に開口している２つの螺子孔及び１つの切り粉排出口に対向した同大の貫通孔を設けると共に、前記ダイスホルダーの最下端面に前記天板を当接して螺止めする金属製のスクリューキャップと、前記スクリューキャップに螺着する蓋付き合成樹脂製のボトルと、前記金属製のスクリューキャップの天板、ダイス固定台及びダイスを螺通して、ダイスをダイス固定台へ螺止する２本の螺子と、を備えたニブラの切り粉受け具であり、また、鋼板切断機のニブラの切り粉の受け具において、天板に、ダイスホルダーの最下端面に開口している２つの螺子孔及び１つの切り粉排出口に対向した同大の貫通孔を設けると共に、前記ダイスホルダーの最下端面に前記天板を当接して螺止めする市販の飲料用のペットボトルと螺着する金属製のスクリューキャップと、前記スクリューキャップに螺着する市販の空の飲料用ペットボトルと、前記金属製のスクリューキャップの天板、ダイス固定台及びダイスを螺通して、ダイスをダイス固定台へ螺止する２本の螺子と、を備えたニブラの切り粉受け具である。
さらに、鋼板切断機のニブラの切り粉の受け箱において、天板に、ダイスホルダーの最下端面に開口している２つの螺子孔及び１つの切り粉排出口に対向した同大の貫通孔を設けると共に、前記ダイスホルダーの最下端面に前記天板を当接して螺止めする金属製のスクリューキャップと、前記金属製のスクリューキャップの天板、ダイス固定台及びダイスを螺通して、ダイスをダイス固定台へ螺止する２本の螺子と、一端に前記金属製のスクリューキャップと螺着する螺着リングを嵌着した柔軟性のある合成樹脂製の管と、受け箱の胴部の一側面に板磁石を固定すると共に、天板に前記管の挿入孔を設けた合成樹脂製の切り粉受け箱とを備えたニブラの切り粉受け具である。
【考案の効果】
【００２７】  この考案の切り粉受け具又は受け箱を使用すると、発生する切り粉を飛散させることなく、発生した切り粉のすべてが回収でき、作業者の安全性を向上させることができる。
また、スクリューキャップ式としたので、ボトルの着脱が容易でかつ、確実に固定でき、脱落を防止できる。【００２８】こ考案の切り粉受け具又は受け箱を使用すると、作業終了後の切り粉の回収作業が不要となり便利であり、全体の作業量を軽減できる。この発明の切り粉受け具は、全体が極めて軽量であり、ボトルの着脱も簡便な操作で行なえ、作業者の負担増加が殆どなく、作業効率を低下させる虞がない。【００２９】  また、排出される全ての切り粉を回収するから、残置される切り粉がなく、錆の誘発を防止でき、且つ加工個所の損傷がないから、作業の質の向上が図れる。【００３０】  また、市販の飲料用のペットボトルの空容器を受け具のボトルとして転用でき、経済的であり且つ、便利である。切り粉がボトルに一杯になった場合、ボトルを取り外し、ボトルのキャップを使用して封鎖すれば、切り粉の保管を安全・確実に行なえる。【００３１】  また、この考案の切り粉受け箱を使用すれば、足場の悪い高所作業等が作業を中断することなく、連続して行なえる効果がある。【００３２】  この切り粉受け具及び受け箱は、動力等を使用しない極めて簡単な構造であり故障が殆どなく、安全、且つ確実な効果が得られる。【００３３】  また、発生する切り粉のすべて回収でき、資源のリサイクルに寄与できる。
【考案を実施するための最良形態】
【００３４】この考案の態様１は、金属製のスクリューキャップと、これに螺着する合成樹脂製のボトルとの構成からなるが、とりわけ、スクリューキャップが金属製であることが必須である。
他に、前記キャップ天板、ダイス固定台、ダイスを、下方向から上方向にそれぞれを連通して螺入する螺子２本である。
使用できる。
【００３５】  また、この考案の切り粉受け具を取り付ける場合、ニブラに当初から取り付けられていた螺子は、スクリューキャップの天板の厚さが加わり、寸法不足となる。従って、当初から取り付けられていた螺子よりも、少し長めのこれに適合する長さの螺子を別途２本用意する必要がある。ダイスの螺止孔は、ダイスを貫通して設けてあるから螺子が多少長めであっても、螺子が突出するだけでダイスの固定には何ら支障は生じない。
【００３６】  キャップの天板に設ける３つの孔を、ダイスホルダーの下端面に開口している孔に対向した位置に貫通孔を設ける。孔の１つは、ボトルへの切り粉の投入口である。他の２つは、ダイスを固定するためのものである。
【００３７】  切り粉受け具は、排出口から排出される切り粉を、飛散させることなくすべてを回収するためには、排出口に当接して、袋状ないしは箱・容器状の受け具を備え付ければよいと考えられる。然し乍ら、袋状のものは、作業中に引っ掛かり、ニブラを取り落としたり、又は袋が破れる等の危険があるから好ましくない。
これ等の点を考慮して、受け具は、ボトル状の合成樹脂製のものが望ましく、しかもボトルの着脱が頻繁に行なわれるから、脱着が容易で且つ、確実に螺着できるスクリューキャップ方式とするのが好ましい。
【００３８】  キャップの材質は、合成樹脂、金属製のものが考えられる。然し乍ら、この考案は、ダイス固定用の螺子を利用して、固定螺子頭とダイス固定台との間にスクリューキャップの天板を介装するから、弾力性のある合成樹脂等の天板では、ダイスの固定力に影響し、延いては切れ味を低下させる虞があるから好ましくない。
即ち、合成樹脂等の弾力性のある素材は、クッション機能を果し、固定を必要とするダイスの切れ味に悪影響を及ぼす。従って、金属性のものが好ましく、金属は、何れの種類のものでも、採用出来るが、鉄、アルミの他、通常キャップに使用されているものであれば良い。
天板の厚さは、飲料用のペットボトルに通常使用されているアルミ製スクリューキャップと同じであっても、耐力性があり、採用できる。
【００３９】  キャップの寸法は、厳密な制約はない。作業上、支障のない寸法のものであれば良い。要は、キャップ天板には、ダイスホルダーの最下端面に開口した排出口、及びダイスを固定するための一対の螺子孔に対向する位置に、同大の貫通孔を設けてあるものであればよい。従って、天板は、ダイスホルダーの最下端面の円形と同じ大きさで十分である。
この天板に設けた孔を、ダイスホルダー夫々の孔に対向した位置にし、当接した状態で螺子止する。前記切り粉の排出口に対向するのは、ボトルへの切り粉投入孔となる。
【００４０】  ボトルのキャップへの嵌合方法は種々のタイプのものが考えられるが、衝撃に対しても外れ難く、片手で容易に着脱できるスクリューキャップ式が好ましい。
【００４１】  スクリューのピッチ巾は、通常の飲料用のボトルのものと同程度であればよく、格別なものを必要としない。
【００４２】  ボトルの形状は、円筒状、四角、多角であるとを形状は特に限定されず、排出された切り粉を収納できるものであればよい。ボトルは、ボトル首部が金属製キャップに螺着するものであれば良い。また、ボトルの大きさも、作業に支障の生じない大きさであれば、適宜な寸法、形状のもの選択しても良い。
ただし、切り粉がボトルに満杯となった場合、かなりの重量となるから、この点は考慮が必要である。
【００４３】  また、ボトルの材質も合成樹脂系のものであれば、何れの種類のものでも構わない。
ボトルの素材として、ガラス等を用いることが出来るが、割れたり、全体の重量を増す結果となるから好ましくなく、軽量で強靭なペットボトルの材質（ポリエチレンテレフタレート・ＰＥＴ）が好ましい。さらに、材質が透明又は半透明ものが、切り粉の堆積量が外から観察できるから好ましいとと言える。
【００４４】また、考案の態様２は、スクリューキャップに設けるスクリューのピッチ巾を、水、お茶、ジューズ等市販の飲料用のペットボトルと、螺着する寸法のものとしたものである。
前記実施態様１と同じ螺子２本である。
空のペットボトルを受け具のボトルに転用すれば、専用ボトルを用意しなくても、空のペットボトルがそのまま転用できる。市販されている飲料用のペットボトルのスクリューキャップは、殆どが同じ形態・寸法のものが多いから、相互の互換性が極めて高い。
【００４５】  考案の態様３は、高所作業等で、昇り降りが容易でない場所等で大量に切り粉が発生する作業に使用することを目的としたものである。
切り粉排出口と切り粉受箱を管（ホース等）で連結した構成のものである。
柔軟性のある合成樹脂製の管の一端に金属製スクリューキャップに螺着する螺着リングを嵌装し、他端を切り粉受箱内に挿入する管とからなる。切り粉受箱は、合成樹脂製の適宜の大きさのものを用意すればよい。
【００４６】  管は、透明の合成樹脂製の水道用ホースを使用すると切り粉の落下状態が見える。
切り粉受箱は、透明のものであれば、切り粉の堆積量が確認できる。さらに、切り粉受箱は、壁面等に磁石で固定するものであるから、少し大きめのものであっても、作業の支障にはならない。
切り粉受箱で、箱の胴部に金属壁又は柱等へ取付ける板磁石を設けてある。
切り粉受箱を、作業個所より下の位置の金属壁等に磁石で固定して置くと、切り粉は自然に落下し、連続的に発生する大量の切り粉であっても、ホースを伝って切り粉受箱へ堆積されるので、便利である。
【００４７】  前記考案の態様１及び２記載の金属製のスクリューキャップに、前記合成樹脂製ホースの一端に前記キャップへの螺着リングを嵌装し、他端を切り粉受箱の天板に設けたホース挿入孔に挿入する。発生した切り粉のすべてが、大量に受け箱に堆積される。
【００４８】次に、この切り粉受け具の取り付け方法及びその使用方法を説明する。
（１）考案の態様１は、専用のスクリューキャップ、蓋付き専用のボトル、螺子２本からなるセットである。
（２）考案の態様２は、専用のスクリューキャップ、螺子２本からなるセットである。
この場合、キャップに設けるスクリューのピッチは、市販の飲料用ペットボトルが螺着できるようにし、ボトルは市販の飲料用ペットボトルを転用する。
（３）考案の態様３は、切り粉排出口と切り粉受箱を管（ホース等）で連結した構成のものである。
【００４９】  前記考案の態様１につき説明し、他もぼほ同様なので説明を省略する。
態様１のセットを用意し、ニブラのダイスホルダーの最下端面にある２本の螺子を緩めて、螺子を取り外す。
次に、スクリューキャップの天板に設けてある孔を、ニブラのダイスホルダーの最下端面にある２本の螺子孔に対向させて天板を当接し、スクリューキャップの内側から外方向に向けて、別途用意してある２本の螺子を螺入して、下からキャップの天板、ダイス固定台、ダイスを連通した状態にして螺止する。
【００５０】  この結果スクリューキャップの開口部は、ニブラを把持した場合、下方向に開口した状態となるから、これにボトルを螺着し、ボトルを螺着したままの状態で作業を行なう。
ボトルの着脱は、キャップがダイスホルダーの最下端面に固定されているから、ボトルの方を廻して行ない、着脱は極めて簡単に片手でも行なえる。
【００５１】  この切り粉受け具は、切り粉が飛散することなく、発生した切り粉は１つ残らず回収できる。ボトルが切り粉で一杯になった場合、ボトルを取り外し、切り粉の捨場所に捨ててボトルを空にして、ボトルを再使用するか又は、既存のキャップを使用してボトル封鎖して保管する。これを転倒させても切り粉をこぼすこともなく、安全に保管・処分ができる。
この場合、作業の継続には、予め用意した他の空のボトルを螺着すればよい。上記の操作を繰り返すことで発生したすべての切り粉の回収ができる。
図１〜図２に基づいて以下に実施例を説明する。
【実施例１】
【００５２】  市販のニブラを使用した例を示す。
（株）マキタ社製のニブラ１、型式ＪＮ１６０１を使用した。ダイスホルダー２の最下端面８は、直径２１ｍｍの円形である。該最下端面８には、左から横一列に螺子孔６ａ、排出孔７、螺子孔６ｂ、が開口していて、夫々円形のやや上方の位置に偏倚して設けられている（図１（ｂ）参照）。【００５３】  排出口７は直径８ｍｍ、螺子孔は６ａ、６ｂ、直径３ｍｍである。前記の螺子は、ＪＩＳ規格の直径３ｍｍ、長さ１５ｍｍの螺子が使用されているが、これを取り外し、これに代えて、直径３ｍｍ、長さ１７ｍｍの螺子９ａ、９ｂを２本別途用意した。
ダイスホルダー２の最下端面８に当接して、前記各開口の６ａ、７、６ｂに夫々が対向するように天板の直径２１ｍｍ、高さ１５ｍｍのアルミ製のスクリューキャップ１２を作成した。天板の厚さは０．１ｍｍである。【００５４】  該キャップ１２の天板に、ダイスホルダーの最下端面８に開口して設けてある排出口７、螺子孔６ａ、６ｂに対向した位置に、直径７ｍｍの孔１個、左右対称に直径３ｍｍの孔２個を貫通して設けた。螺子９ａ、９ｂは、直径３ｍｍ、長さ    ｍｍのものを２本使用した。次に、前記金属製のスクリューキャップ１２を、ダイスホルダーの最下端面８に開口して設けてある排出口７、螺子孔６ａ、６ｂに対向した位置に当接して螺止した。
金属製のスクリューキャップ１２に螺着する口部を有する合成樹脂製のボトル１３（容器本体・２００ｃｃ）を作成した。【００５５】金属製のスクリューキャップ１２に、ボトル１３を装着して、厚さ１ｍｍの鋼板を切断した。その結果、発生した切り粉のすべてが、ボトル１３に収納され、飛散したものはなかった。
【実施例２】
【００５６】  マキタ社製のニブラ１、型式ＪＮ１６０１を使用した。
実施例１記載の金属製のスクリューキャップ１２のスクリューのピッチ巾を、市販の飲料用ペットボトルが螺着できる巾のものとした。空の市販のペットボトルを本考案のボトルに転用したものである。前記実施１と同じ螺子９ａ、９ｂの２本である。【００５７】  （株）伊藤園の「おーい  お茶」（商品名）３５４ｍｌのペットボトル、ダイドードリンコ（株）の「ほっと  ゆずれもん」（商品名）２８０ｍｌペットボトルを転用したが何れも金属製のスクリューキャップに螺着できた。他の飲料メーカーのペットボトルであっても、金属製のスクリューキャップと螺着できるものは、いずれも転用できる。
【実施例３】
【００５８】  高所作業等で、昇り降りが容易でない場所又は大量に切り粉が発生する作業に使用することを目的としたものである。切り粉排出口７と切り粉受箱１６ａを管１５（ホース等）で連結した構成のものである。
実施例１記載の金属製のスクリューキャップ１２に、前記柔軟性のある合成樹脂製管（ホース）１５の一端に螺着リング１４を嵌着し、他端を切り粉受箱の天板に設けたホース挿入孔１６ｂに挿入した。【００５９】  切り粉受箱１６ａは、合成樹脂製の２００ｍｍ×１００ｍｍ×２００ｍｍのものを用意し、切り粉受け箱１６ａの胴部の一側面に板磁石１７を取り付けた。
管１５は、透明の合成樹脂製の官１５の直径２０ｍｍ、長さ２０００ｍｍのものを使用した。切り粉受箱１６ａは、壁面等に固定して置くものであるから、少し大きめのものであっても、作業の支障にはならない。【００６０】  切り粉受箱１６ａを、作業個所より下の位置の金属壁等に板磁石１７で固定して置くと、連続的に発生する大量の切り粉であっても、管１５を伝って切り粉受箱１６ａで収集され堆積されるので、便利である。厚さ１ｍｍの鋼板を切断した。その結果、発生した切り粉のすべてが、容器に収納され、飛散したものはなかった。
【図面の簡単な説明】
【００６１】
【図１】（ａ）ニブラの斜視図。（ｂ）ニブラのダイスホルダーの一部拡大斜視図。
【図２】この考案の取り付け具を取り付けた状態の概念図。
【図３】この考案の取り付け箱を取り付けた状態の概念図。
【符号の説明】
【００６２】１  ニブラ
２  ダイスホルダー
３  ロックナット
４  加工部
５  ダイス固定台
６ａ  螺子孔
６ｂ  螺子孔
７  排出口
８  ダイスホルダー最下端面
９ａ  螺子
９ｂ  螺子
１０  パンチ
１１  ダイス
１２  金属製スクリューキャップ
１３  ボトル
１４  螺着リング
１５  管
１６ａ  切り粉受箱
１６ｂ  管挿入孔
１７  板磁石
【図１】
0003152154.tif 000003
【図２】
0003152154.tif 000004
【図３】
0003152154.tif 000005